(57)【要約】【課題】過負荷による損傷を防止し、製造が簡単で、乱暴な使用を考慮して弾力性に富んだ頑丈なペダル操作式容器を提供すること。【解決手段】本発明は、ペダル操作式の蓋を有する容器を提供する。容器(4)は、レバー(1)と、レバーを作動させるペダル(3)と、ユーザがレバーを作動させたときに蓋を開くように、レバーを蓋(5)に結合させる作動ロッド(2)を有する。レバーは関節連結式であり、作動ロッドの作動を可能する通常の作動状態における剛性状態と、作動ロッドの作動を阻止する異常な作動状態における屈曲状態を選択的に採用する。【選択図】図３Ａ
2018188307.tif 000002
【特許請求の範囲】
【請求項１】
ペダル操作式の蓋（５）を有する容器（４）であって、
レバー（１）と、
前記レバー（１）を作動させるペダル（３）と、
ユーザが前記レバーを作動させたときに前記蓋を開くように、前記レバー（１）を前記蓋（５）に結合する作動ロッド（２）と、を有し、
前記レバーは、関節連結式であり、ａ）前記作動ロッドの作動を可能する通常の作動状態における剛性状態と、ｂ）前記作動ロッドの作動を阻止する異常な作動状態における屈曲状態と、を選択的に採用する、容器（４）。
【請求項２】
前記レバー（１）は、
ペダル（３）を受入れることが可能な外端部（１０ａ’）、及び、第１のヒンジ結合部を構成する内端部（１０ａ’’）を含む第１のアーム（１０ａ）と、
作動ロッド（２）を受入れることが可能な外端部（１０ｂ’’）、及び、第２のヒンジ結合部を構成する内端部（１０ｂ’）を含む第２のアーム（１０ｂ）と、を有し、前記第２のヒンジ結合部は、前記第１のヒンジ結合部に一致し、前記第１のヒンジ結合部に枢動可能に結合され、
前記レバーは、更に、
前記第１のアームと前記第２のアームの間のヒンジを構成する前記第１のヒンジ結合部及び前記第２のヒンジ結合部を貫通し、且つ、前記レバーの支点を構成するピボットシャフト（１８）と、
前記ピボットシャフト（１８）の周りに位置決めされる付勢手段と、を有し、
前記付勢手段は、負荷を受けていない状態において、前記第１のアーム（１０ａ）と前記第２のアーム（１０ｂ）を剛性に保持し、ユーザが前記関節連結レバー（１）を作動させたときに前記関節連結レバー（１）が前記作動ロッドを作動させることを可能にし、
前記付勢手段は、負荷を受けている状態において、前記第１のアーム（１０ａ）を前記第２のアーム（１０ｂ）に対して枢動させて、ユーザが前記関節連結レバー（１）を作動させたときに前記関節連結レバー（１）が前記作動ロッド（２）を作動させることを阻止する、請求項１に記載の容器。
【請求項３】
前記付勢手段は、捩りばね（１９ａ）である、請求項２に記載の容器。
【請求項４】
前記付勢手段は、板ばね（１９ｂ）である、請求項２に記載の容器。
【請求項５】
更に、前記第１のアーム（１０ａ）の内端部（１０ａ’’）と前記第２のアーム（１０ｂ）の内端部（１０ｂ’）の間に設けられたヒンジ移動制限部を有し、前記ヒンジ移動制限部は、前記第２のアームに対する前記第１のアームの枢動を制限する、請求項２〜４のいずれか１項に記載の容器。
【請求項６】
前記ヒンジ移動制限部は、前記付勢手段を適所に保持する、請求項５に記載の容器。
【請求項７】
前記ヒンジ移動制限部は、前記レバーの一方のアーム（１０ａ又は１０ｂ）の内端部（１０ａ’’又は１０ｂ’）に設けられた１対のスロット（１３ａ、１３ｂ）と、前記スロットの位置に一致するように前記レバーの他方のアーム（１０ｂ又は１０ａ）の内端部（１０ｂ’又は１０ａ’’）に設けられた１対の貫通孔（１６ａ、１６ｂ）と、前記スロット及び前記貫通孔を貫通する保持シャフト（２０）を含み、前記保持シャフト（２０）は、前記スロットの範囲内で移動することが可能である、請求項５又は６に記載の容器。
【請求項８】
前記作動ロッド（２）は、ユーザが前記レバー（１）を解放したときに前記蓋（５）が急に閉じることを防止するダンパー装置（２ａ）を含む、請求項１〜７のいずれか１項に記載の容器。
【請求項９】
ペダル操作式の蓋（５）を有する容器（４）のための関節連結レバー（１）であって、
ペダル（３）を受入れることが可能な外端部（１０ａ’）、及び、第１のヒンジ結合部を構成する内端部（１０ａ’’）を含む第１のアーム（１０ａ）と、
作動ロッド（２）を受入れることが可能な外端部（１０ｂ’’）、及び、第２のヒンジ結合部を構成する内端部（１０ｂ’）を含む第２のアーム（１０ｂ）と、を有し、前記第２のヒンジ結合部は、前記第１のヒンジ結合部に一致し、前記第１のヒンジ結合部に枢動可能に結合され、
更に、前記第１のアームと前記第２のアームの間のヒンジを構成する前記第１のヒンジ結合部及び前記第２のヒンジ結合部を貫通し、且つ、前記関節連結レバーの支点を構成するピボットシャフト（１８）と、
前記ピボットシャフト（１８）の周りに位置決めされる付勢手段と、を有し、
前記付勢手段は、負荷を受けていない状態において、前記第１のアーム（１０ａ）と前記第２のアーム（１０ｂ）を剛性に保持し、ユーザが前記関節連結レバー（１）を作動させたときに前記関節連結レバー（１）が前記作動ロッドを作動させることを可能にし、
前記付勢手段は、負荷を受けている状態において、前記第１のアーム（１０ａ）を前記第２のアーム（１０ｂ）に対して枢動させて、ユーザが前記関節連結レバー（１）を作動させたときに前記関節連結レバー（１）が前記作動ロッド（２）を作動させることを阻止する、関節連結レバー（１）。
【請求項１０】
前記付勢手段は、捩りばね（１９ａ）である、請求項９に記載の関節連結レバー（１）。
【請求項１１】
前記付勢手段は、板ばね（１９ｂ）である、請求項９に記載の関節連結レバー（１）。
【請求項１２】
更に、前記第１のアーム（１０ａ）の内端部（１０ａ’’）と前記第２のアーム（１０ｂ）の内端部（１０ｂ’）の間に設けられたヒンジ移動制限部を有し、前記ヒンジ移動制限部は、前記第２のアームに対する前記第１のアームの枢動を制限する、請求項９〜１１のいずれか１項に記載の関節連結レバー（１）。
【請求項１３】
前記ヒンジ移動制限部は、前記付勢手段を適所に保持する、請求項１２に記載の関節連結レバー（１）。
【請求項１４】
前記ヒンジ移動制限部は、前記レバーの一方のアーム（１０ａ又は１０ｂ）の内端部（１０ａ’’又は１０ｂ’）に設けられた１対のスロット（１３ａ、１３ｂ）と、前記スロットの位置に一致するように前記レバーの他方のアーム（１０ｂ又は１０ａ）の内端部（１０ｂ’又は１０ａ’’）に設けられた１対の貫通孔（１６ａ、１６ｂ）と、前記スロット及び前記貫通孔を貫通する保持シャフト（２０）を含み、前記保持シャフト（２０）は、前記スロットの範囲内で移動することが可能である、請求項１２又は１３に記載の関節連結レバー（１）。
【発明の詳細な説明】
【技術分野】
【０００１】
本発明は、廃棄物容器又はごみ容器、詳細には足操作ペダルによって持上げられる蓋を有する容器の分野に関する。
【背景技術】
【０００２】
ペダル操作機構によって持上げられる蓋又はカバーを有するごみ容器又は廃棄物容器は、技術分野でよく知られており、長年にわたって広く使用されてきた。
【０００３】
典型的には、ペダル操作式の蓋を有する廃棄物容器又はごみ容器は、レバーと作動ロッドを有し、レバーは、その一方の端部に、ユーザが届きやすいように容器の底部に一般に位置決めされた足ペダルを有し、作動ロッドは、ユーザが足ペダルを作動させたときに蓋を持上げるためにレバーの他方の端部に連結される。
【０００４】
しかしながら、かかる容器の蓋は一般的に重いので、ペダルを解放したときに蓋が落下して閉じることと、それにより潜在的にユーザを傷つけることを防止する改良が行われてきた。１つのかかる改良は、ペダルを解放したときに蓋が落下するような蓋の運動を遅らせるために、ショックアブソーバ等のダンパー装置を作動ロッドに追加することである。
【０００５】
本出願人による特許文献１は、従来技術のよい例であり、前の段落で説明したような特徴を有する容器を開示する。
【０００６】
この改良は、全体的に有効であるが、作動ロッド及びダンパー装置に依存し、誤用に起因した損傷又は蓋が引っかかったときの損傷を生じやすい。
【０００７】
例えば、かかるペダル操作式容器は、通常、公共利用を意図した地方自治体の廃棄物容器として使用されるので、容器がいっぱいになったときに容器の蓋の上にうっかりと置かれたり積重ねられたりする重量負荷がある。
【０００８】
かかる状況では、気づかないユーザが、蓋を持上げるためにかかる容器のペダルを踏んでレバーを作動させたとき、作動ロッドの持上げ動作を妨害する追加の重量により、ダンパー装置が損傷することがある。
【０００９】
加えて、蓋の上の重量負荷の追加重量はまた、ユーザが容器を使用するためにペダルを押下げるとき、作動ロッドを撓ませたり破損させたりすることもある。
【先行技術文献】
【特許文献】
【００１０】
【特許文献１】マレーシア特許出願公開第１２７５４０号公報
【発明の概要】
【発明が解決しようとする課題】
【００１１】
ペダル操作式の廃棄物容器又はごみ容器に生じることがある潜在的な損傷の観点から、本発明の目的は、過負荷により損傷しないようにされ、製造が簡単であり、かかる容器に関連した乱暴な使用を考慮して復元力があり且つ頑丈であるペダル操作式容器を提供することにある。
【課題を解決するための手段】
【００１２】
第１の側面において、本発明は、ペダル操作式の蓋を有する容器を提供し、この容器は、レバーと、レバーを作動させるペダルと、ユーザがレバーを作動させたときに蓋を開くように、レバーを蓋に結合する作動ロッドを有する。
【００１３】
レバーは、関節連結式であり、作動ロッドの作動を可能する通常の作動状態における剛性状態と、作動ロッドの作動を阻止する異常な作動状態における屈曲状態とを選択的に採用する。
【００１４】
選択的に、作動ロッドは、ユーザが関節連結レバーを解放したときに蓋が急に閉じることを防止するダンパー装置を含む。
【００１５】
剛性状態と屈曲状態を選択的に採用するレバーの能力によって、ペダル操作式の蓋を有する容器は、通常の作動状態で機能し、それと同時に、作動ロッド及び／又はダンパー装置が異常な作動状態で損傷することを防止することを可能にする。
【００１６】
本発明の第１の側面によるペダル操作式の蓋を有する容器において、レバーは、第１のアームと、第２のアームと、ピボットシャフトと、付勢手段を有するのがよい。
【００１７】
第１のアームは、ペダルを受入れる外端部と、第１のヒンジ結合部を構成する内端部を有する。
【００１８】
第２のアームは、作動ロッドを受入れる外端部と、第２のヒンジ結合部を構成する内端部を有し、内端部は、第１のヒンジ結合部に一致し又は整列し、第１のヒンジ結合部に枢動可能に結合される。
【００１９】
ピボットシャフトは、第１のアームと第２のアームの間のヒンジを構成する第１のヒンジ結合部及び第２のヒンジ結合部を貫通し、且つ、レバーの支点を構成する。
【００２０】
付勢手段は、ピボットシャフトの周りに位置決めされる。
【００２１】
付勢手段は、負荷を受けていないとき、第１のアーム及び第２のアームを剛性に保持し、ユーザがレバーを作動させたときにレバーが作動ロッドを作動させることを可能にする。
【００２２】
付勢手段は、負荷を受けているとき、第１のアームを第２のアームに対して枢動させて、ユーザがレバーを作動させたときにレバーが作動ロッドを作動させることを阻止する。
【００２３】
レバーの付勢手段は、捩りばねであってもよいし、板ばねであってもよい。
【００２４】
ペダル操作式の蓋を有する容器は、更に、第１のアームの内端部と第２のアームの内端部の間に設けられたヒンジ移動制限部を有し、ヒンジ移動制限部は、第２のアームに対する第１のアームの枢動を制限する。
【００２５】
さらに、ヒンジ移動制限部は、付勢手段を適所に保持する役割も有するのがよい。
【００２６】
ヒンジ移動制限部は、レバーの一方のアームの内端部に設けられた１対のスロットと、スロットの位置に一致し又は整列するようにレバーの他方のアームの内端部に設けられた１対の貫通孔と、スロット及び貫通孔を貫通する保持シャフトを含み、保持シャフトは、スロットの範囲内で移動することが可能である。
【００２７】
本発明の第２の側面において、ペダル操作式の蓋を有する容器用の関節連結レバーが開示され、関節連結レバーは、第１のアームと、第２のアームと、ピボットシャフトと、付勢手段を有する。
【００２８】
第１のアームは、ペダルを受入れる外端部と、第１のヒンジ結合部を構成する内端部を有する。
【００２９】
第２のアームは、作動ロッドを受入れることが可能な外端部と、第２のヒンジ結合部を構成する内端部を有し、内端部は、第１のヒンジ結合部に一致し又は整列し、第１のヒンジ結合部に枢動可能に結合される。
【００３０】
ピボットシャフトは、レバーの第１のアームと第２のアームの間のヒンジを構成する第１のヒンジ結合部及び第２のヒンジ結合部を貫通し、且つ、レバーの支点を構成する。
【００３１】
付勢手段は、ピボットシャフトの周りに位置決めされる。
【００３２】
付勢手段は、負荷を受けていない状態において、第１のアームと第２のアームを剛性に保持し、ユーザがレバーを作動させたときにレバーが作動ロッドを作動させることを可能にする。
【００３３】
付勢手段は、負荷を受けている状態において、第１のアームを第２のアームに対して枢動させて、ユーザがレバーを作動させたときにレバーが作動ロッドを作動させることを阻止する。
【００３４】
関節連結レバーの付勢手段は、捩りばねであるのがよい。変形例として、付勢手段は、板ばねであってもよい。
【００３５】
関節連結レバーは、更に、第１のアームの内端部と第２のアームの内端部の間に設けられたヒンジ移動制限部を有し、ヒンジ移動制限部は、関節連結レバーの第２のアームに対する関節連結レバーの第１のアームの枢動を制限する。
【００３６】
ヒンジ移動制限部は、付勢手段を適所に保持する役割を更に有する。
【００３７】
ヒンジ移動制限部は、レバーの一方のアームの内端部に設けられた１対のスロットと、スロットの位置に一致し又は整列するようにレバーの他方のアームの内端部に設けられた１対の貫通孔と、スロット及び貫通孔を貫通する保持シャフトを含み、保持シャフトは、スロットの範囲内で移動することが可能である。
【００３８】
本発明の第２の側面による関節連結レバーは、さまざまな利点を有し、その特徴は、既存のレバーの変更として、あるいは、ペダル操作式容器に使用される既存のレバー（関節連結式ではない）への差し込み又は直接的な交換として、容易に実施され、また、関節連結レバーは、異常な作動状態において作動ロッド及び／又はダンパー装置への損傷を防止する特徴を既存のペダル操作式容器に単純な改良によって導入する利点を有する。
【００３９】
添付図面を参照して、本発明を説明するが、本発明は、例示としてのみ提供される実施形態の以下の説明によって限定されない。
【図面の簡単な説明】
【００４０】
【図１】本発明の第１の実施形態による関節連結レバーの斜視図である。
【図２】図１に示す本発明の第１の実施形態による関節連結レバーの分解斜視図である。
【図３Ａ】通常の作動状態において静止した、図１に示す本発明の第１の実施形態による関節連結レバーを組込んだペダル操作式の蓋を有する容器を示す。
【図３Ｂ】図３Ａに示すように通常の作動状態において静止した関節連結レバーの拡大図である。
【図４Ａ】通常の作動状態において作動しているときの、図１に示す本発明の第１の実施形態による関節連結レバーを組込んだペダル操作式の蓋を有する容器を示す。
【図４Ｂ】図４Ａに示すように通常の作動状態において作動しているときの関節連結レバーの拡大図である。
【図５Ａ】異常な作動状態において作動しているときの、図１に示す本発明の第１の実施形態による関節連結レバーを組込んだペダル操作式の蓋を有する容器を示す。
【図５Ｂ】図５Ａに示すように異常な作動状態において作動しているときの関節連結レバーの拡大図である。
【図６】本発明の第２の実施形態による関節連結レバーの斜視図である。
【図７】図６に示す本発明の第２の実施形態による関節連結レバーの分解斜視図である。
【図８Ａ】通常の作動状態において静止した、図６に示す本発明の第２の実施形態による関節連結レバーを組込んだペダル操作式の蓋を有する容器を示す。
【図８Ｂ】通常の作動状態において静止した、図８Ａに示す関節連結レバーの拡大図である。
【図９Ａ】通常の作動状態において作動しているときの、図６に示す本発明の第２の実施形態による関節連結レバーを組込んだペダル操作式の蓋を有する容器を示す。
【図９Ｂ】通常の作動状態において作動しているときの、図９Ａに示す関節連結レバーの拡大図である。
【図１０Ａ】異常な作動状態において作動しているときの、図６に示す本発明の第２の実施形態による関節連結レバーを組込んだペダル操作式の蓋を有する容器を示す。
【図１０Ｂ】異常な作動状態において作動しているときの、図１０Ａに示す関節連結レバーの拡大図である。
【発明を実施するための形態】
【００４１】
前に説明したように、ペダル操作式の蓋を有する廃棄物容器又はごみ容器は、典型的には、レバーと、作動ロッドを有し、レバーは、その一方の端部に足ペダルを有し且つ容器の底部に位置決めされ、作動ロッドは、ユーザが足ペダルを作動させたときに蓋を持上げるためにレバーの他方の端部に連結されている。
【００４２】
ペダル操作式の廃棄物容器又はごみ容器は、好ましくは、足操作式なので、レバーは、典型的には、ペダル操作式の蓋を有する廃棄物容器又はごみ容器の底部に配置される。
【００４３】
ペダル操作式の蓋を有する典型的な廃棄物容器又はごみ容器と同じように、足ペダルは、レバーの一方の端部に取付けられ又は形成され、ユーザがレバーを作動させたときに蓋を開くために、作動ロッドがレバーの他方の端部に連結され、レバーを蓋に連結させる。
【００４４】
作動ロッドは、一般的には、蓋の落下を減衰させるダンパー装置を有し、ダンパー装置は、ユーザが足をペダルから離してレバーを解放したとき、蓋が急に閉まることを防止する。ダンパー装置を含むことは好ましいが、本質的ではないことに注目すべきである。
【００４５】
図１及び図２は、使用されている伝統的なレバーの直接的な代替品として、ペダル操作式の蓋を有する廃棄物容器又はごみ容器に用いるのに適した、本発明の第１の実施形態による関節連結レバーを示す。
【００４６】
図１において、本発明の第１の実施形態による関節連結レバー１を斜視図で示す。組立状態にあるときの関節連結レバーの各構成要素の関係が明瞭に示されている。
【００４７】
図２において、本発明の第１の実施形態による関節連結レバー１を斜視図で示すが、ここでは、分解組立図として示し、明瞭化のために、各構成要素を他の構成要素から分離して示し、また、関節連結レバーの各構成要素が互いにどのように関係するかを示す。
【００４８】
本発明の第１の実施形態による関節連結レバー１は、ａ）第１のアーム１０ａと、ｂ）第２のアーム１０ｂと、ｃ）ピボットシャフト１８と、ｄ）捩りばね１９ａと、ｅ）ヒンジ移動制限シャフト２０を有する。
【００４９】
第１のアーム１０ａは、外端部１０ａ’と内端部１０ａ’’を有する。第１のアーム１０ａは、典型的には、細長い構造体であり、逆向きのチャネル形又は逆Ｕ字形の断面を有する。
【００５０】
第１のアーム１０ａの外端部１０ａ’は、足ペダル３を受入れることが可能であり、足ペダル３は、溶接によって又はその他の取付け手段によって第１のアームの外端部に取付けられ、かかる取付け手段は、例えば、ボルト又はねじである。
【００５１】
第１のアーム１０ａの内端部１０ａ’’は、垂直な側面に設けられた１対の突出部又は耳部１１ａ、１１ｂを含み、突出部又は耳部１１ａ、１１ｂの各々は、互いに一致又は整列し且つピボットシャフト１８を受入れることが可能である貫通孔１２ａ、１２ｂを有し、ピボットシャフト１８は、第１のヒンジ結合部を構成する。
【００５２】
また、第１のアーム１０ａの内端部１０ａ’’の突出部又は耳部１１ａ、１１ｂの各々は、円弧形状のスロット１３ａ、１３ｂを含み、スロット１３ａ、１３ｂは、ヒンジ移動制限用及び捩りばね保持用のシャフト２０を受入れるために互いに一致又は整列している。
【００５３】
また、第２のアーム１０ｂは、内端部１０ｂ’と外端部１０ｂ’’を有する。第１のアーム１０ａと同じように、第２のアーム１０ｂは、典型的には、Ｃ字形又はＵ字形の断面を有する細長い構造体である。
【００５４】
内端部１０ｂ’は、垂直な側面に設けられた１対の突出部又は耳部１４ａ、１４ｂを含み、突出部又は耳部１４ａ、１４ｂの各々は、互いに一致又は整列し且つピボットシャフト１８を受入れることが可能である貫通孔１５ａ、１５ｂを有し、ピボットシャフト１８は、第２のヒンジ結合部を構成する。第２のヒンジ結合部は、第１のヒンジ結合部と一致又は整列し、第１のヒンジ結合部を受入れ且つ第１のヒンジ結合部に枢動可能に結合されることが可能である。
【００５５】
また、内端部１０ｂ’は、垂直な側面の各々に設けられた第２の貫通孔１６ａ、１６ｂを有し、第２の貫通孔１６ａ、１６ｂは、第１のアーム１０ａに設けられたスロット１３ａ、１３ｂの位置に一致又は整列し、ヒンジ移動制限用及び捩りばね保持用のシャフト２０を受入れることが可能である。
【００５６】
外端部１０ｂ’’は、作動ロッド２を受入れることが可能であり、作動ロッド２の一方の端部を固着するための１対の突出部又は耳部１７ａ、１７ｂを垂直な側面に含む。
【００５７】
第１のアーム１０ａ及び第２のアーム１０ｂは両方とも、典型的には及び好ましくは、自治体設備の予想される厳しい環境を考慮したある程度の耐食性を提供するために、ステンレス鋼板から作られる。
【００５８】
ピボットシャフト１８は、第１のヒンジ結合部及び第２のヒンジ結合部を構成する貫通孔１２ａ、１２ｂ、１５ａ、１５ｂに一致し又は整列し且つそれらを貫通して、関節連結レバー１の第１のアーム１０ａと第２のアーム１０ｂの間のヒンジ及び関節連結レバーの支点の両方として機能する。
【００５９】
図１及び図２において、関節連結レバー１を貫通するピボットシャフト１８は、１対のナット２１によって取付けブラケット２２に固着され、取付けブラケット２２は、典型的には、容器４の底部に配置される。
【００６０】
しかしながら、本発明の第１の実施形態による関節連結レバー１は、本明細書に示す取付けブラケット２２に固着されること限定されず、変形例として、容器のデザインによって決定されるように、容器４の底部に位置決めされた任意その他の適当な固着具にピボットシャフト１８によって固着されてもよいことに注目すべきである。
【００６１】
捩りばね１９ａは、ピボットシャフト１８の周りに位置決めされ、好ましくは、まっすぐな捩り端部形態を有するばねである。
【００６２】
捩りばね１９ａが負荷を受けていないとき（すなわち、静止状態にある）とき、捩りばね１９ａは、関節連結レバーの第１のアーム１０ａと第２のアーム１０ｂの間のヒンジの任意の枢動に抵抗する。
【００６３】
この状態では、第１のアーム１０ａ及び第２のアーム１０ｂは、剛性のままであり、ユーザが関節連結レバー１を作動させたとき、関節連結レバー１が支点の周りを枢動して、作動ロッド２を作動させることが可能である。
【００６４】
捩りばね１９ａが負荷を受けているとき（すなわち、捩られた状態にあるとき）、付与されたトルクにより捩りばねを変形させ、第１のアーム１０ａは、ヒンジのところで第２のアーム１０ｂに対して枢動する。
【００６５】
この状態では、第２のアーム１０ｂに対する第１のアーム１０ａの枢動作用により、関節連結レバー１を屈曲させ、ユーザが関節連結レバー１を作動させたとき、関節連結レバー１が支点のところで枢動して、作動ロッド２を作動させることを阻止する。
【００６６】
ヒンジ移動制限シャフト２０は、第１のアーム１０ａの内端部１０ａ’’のスロット１３ａ、１３ｂ、及び、それに一致し又は整列する第２のアーム１０ｂの内端部１０ｂ’の貫通孔１６ａ、１６ｂを貫通する。
【００６７】
ヒンジ移動制限シャフト２０は、その名称が示唆するように、第２のアーム１０ｂに対する第１のアーム１０ａの枢動を制限するのに使用され、また、捩りばね１９ａを適所に保持して固着させる補助的な機能を有する。
【００６８】
ヒンジ移動制限シャフト２０は、円弧形スロット１３ａ、１３ｂの移動範囲内で移動することが可能である。
【００６９】
ヒンジ移動制限シャフト２０は、第１の実施形態においては存在しているけれども、関節連結レバーの動作には必須ではなく、必要なければ完全に省略してもよい。
【００７０】
図３Ａは、通常の作動状態において静止した、図１及び図２に示す本発明の第１の実施形態による関節連結レバー１を組込んだペダル操作式の蓋５を有する廃棄物容器又はごみ容器４を示す。
【００７１】
図３Ｂは、通常の作動状態において静止した関節連結レバー１の拡大図であり、図３Ａに示す関節連結レバーをより明瞭に示す。
【００７２】
本明細書を通して使用される用語「通常の作動状態」は、ユーザが、関節連結レバーを作動させて廃棄物容器又はごみ容器から蓋を持上げるために足ペダルを押下げるとき、廃棄物容器又はごみ容器の蓋が妨害されずに自由に動くことを意味すると解釈されることをここで明確にすべきである。
【００７３】
図４Ａは、通常の作動状態において作動しているときの、図１及び図２に示す本発明の第１の実施形態による関節連結レバーを組込んだペダル操作式の蓋を有する廃棄物容器又はごみ容器を示す。
【００７４】
図４Ｂは、通常の作動状態において作動しているときの関節連結レバーの拡大図であり、図４Ａに示すレバー組立体をより明瞭に示す。
【００７５】
図４Ａ及び図４Ｂから分かるように、通常の作動状態では、ユーザが足ペダル３を押下げるとき、捩りばね１９ａは負荷を受けていない。
【００７６】
この状態では、捩りばね１９ａの張力により、捩りばねの脚部１９ａ’、１９ａ’’の各々を第１のアーム１０ａ及び第２のアーム１０ｂに押付け、それにより、関節連結レバー１がヒンジのところで枢動することを阻止し、かくして、関節連結レバー１が剛性のままであることを可能にする。
【００７７】
捩りばね１９ａが負荷を受けておらず、関節連結レバー１が剛性であるとき、関節連結レバー１は、ピボットシャフト１８（すなわち、支点）の周りを枢動することによって、通常のように機能することが可能であり、かくして、ユーザが関節連結レバー１を作動させたとき、作動ロッド２が蓋５を押上げることを可能にする。
【００７８】
これとは逆に、用語「異常な作動状態」は、例えば、容器の蓋が重量負荷又は過負荷によって妨害されることにより、廃棄物容器又はごみ容器の蓋が妨害されること、及び、レバー組立体を作動させて蓋を容器から持上げるためにユーザが足ペダルを押下げても、廃棄物容器又はごみ容器の蓋が移動できないことを意味すると、本明細書で解釈される。
【００７９】
図５Ａは、異常な作動状態において作動しているときの、図１及び図２に示す本発明による関節連結レバーを組込んだペダル操作式の蓋を有する廃棄物容器又はごみ容器を示す。
【００８０】
図５Ｂは、異常な作動状態において作動しているときの関節連結レバーの拡大図であり、図５Ａに示す関節連結レバーをより明瞭に示す。
【００８１】
図５Ａ及び図５Ｂから分かるように、異常な作動状態では、ユーザが足ペダル３を押下げるとき、捩りばね１９ａは負荷を受けている。
【００８２】
この状態では、第１のアーム１０ａ及び第２のアーム１０ｂは両方とも、枢動して捩りばね１９ａの張力に打ち勝ち、捩りばねの脚部１９ａ’、１９ａ’’を押下げ、それにより、関節連結レバー１を、ピボットシャフト（すなわち、支点）のところではなくヒンジのところで枢動させ、その結果、関節連結レバーを作動不能にし、ユーザが関節連結レバー１を作動させたときに作動ロッドが蓋を押上げることを阻止する。
【００８３】
関節連結レバー１が作動不能であるとき、異常な作動状態を生じさせている障害が除去されて通常の作動状態が回復されるまで、蓋３を押上げるために作動ロッド２を関節連結レバーによって押すことができない。
【００８４】
かくして、異常な作動状態の下で、支点のところではなくヒンジのところで枢動する関節連結レバー１の動作は、作動ロッド２が曲げられたり破損したりすることを防止し、及び／又は、関節連結レバー１を作動させて蓋５を容器４から持上げるためにユーザが足ペダル３を押下げるとき、作動ロッド２のダンパー装置２ａが、妨害している負荷の重量に逆らって上方に押されることによって損傷することを防止する。
【００８５】
本発明の第１の実施形態による関節連結レバーは、前に述べたように、図１及び図２に使用され且つ図示された構成要素に限定されない。確かに、異なる形態を有する同様の構成要素を使用するレバー組立体の変更例及び変形例は、本発明の範囲から逸脱しないと考えるべきである。
【００８６】
それに応じて、図６及び図７は、使用されている伝統的なレバーの直接的な代替品として、ペダル操作式の蓋を有する廃棄物容器又はごみ容器に用いるのに適した、本発明の第２の実施形態による関節連結レバーを示す。
【００８７】
図６は、本発明の第２の実施形態による関節連結レバーの斜視図である。
【００８８】
図７は、図６に示す本発明の第２の実施形態による関節連結レバーの分解斜視図である。
【００８９】
図６において、本発明の第２の実施形態による関節連結レバーを斜視図で示す。組立状態にあるときの関節連結レバーの各構成要素の関係が明瞭に示されている。
【００９０】
図７において、本発明の第２の実施形態による関節連結レバー１を斜視図で示すが、ここでは、分解組立図として示し、明瞭化のために、各構成要素を他の構成要素から分離して示し、また、関節連結レバーの各構成要素が互いにどのように関係するかを示す。
【００９１】
本発明の第２の実施形態による関節連結レバー１は、ａ）第１のアーム１０ａと、ｂ）第２のアーム１０ｂと、ｃ）ピボットシャフト１８と、ｄ）板ばね１９ｂと、ｅ）ヒンジ移動制限シャフト２０を有する。
【００９２】
図６及び図７に示す関節連結レバー１において、図１及び図２に示す本発明の第１の実施形態による関節連結レバーの捩りばね１９ａの代わりに、板ばね１９ｂが使用される。他の構成要素は全て同じであり、変更されていない。
【００９３】
関節連結レバーの変形例において、板ばね１９ｂは、その名称の通り、ばね又は付勢部材として機能するように特定の形状にプレス成形された、本質的に可撓性、弾性材料の平坦なストリップである。
【００９４】
関節連結レバー１の変形例において、板ばね１９ｂは、２つの負荷又は張力支持部分又は表面１９ｂ’、１９ｂ’’と、支点１９ｂ’’’を有し、ピボットシャフト１８よりも下に又はその下に位置決めされ、負荷又は張力支持部分１９ｂ’、１９ｂ’’はそれぞれ、関節連結レバー１の第１のアーム１０ａ及び第２のアーム１０ｂの中に延びている。
【００９５】
板ばね１９ｂが負荷を受けていないとき（すなわち、静止状態にあるとき）、板ばねは、関節連結レバーの第１のアーム１０ａと第２のアーム１０ｂの間のヒンジの枢動に抵抗する。
【００９６】
この状態では、第１のアーム１０ａ及び第２のアーム１０ｂは、剛性のままであり、ユーザが関節連結レバー１を作動させたとき、関節連結レバー１が支点の周りを枢動して、作動ロッド２を作動させることが可能である。
【００９７】
板ばね１９ｂが負荷を受けているとき（すなわち、反らされ又は捩じられた状態にあるとき）、ヒンジは、第１のアーム１０ａを第２のアーム１０ｂに対して枢動させることが可能である。
【００９８】
この状態では、第２のアーム１０ｂに対する第１のアーム１０ａの枢動作用により、関節連結レバー１を屈曲させ、ユーザが関節連結レバー１を作動させたとき、関節連結レバー１が支点のところで枢動して、作動ロッド２を作動させることを防止する。
【００９９】
図８Ａは、通常の作動状態において静止しているときの、図６及び図７に示す本発明の第２の実施形態による関節連結レバーを組込んだペダル操作式の蓋を有する廃棄物容器又はごみ容器を示す。
【０１００】
図８Ｂは、通常の作動状態において静止しているときの関節連結レバーの拡大図であり、図８Ａに示す関節連結レバーをより明瞭に示す。
【０１０１】
図９Ａは、通常の作動状態において作動しているときの、図６及び図７に示す本発明の第２の実施形態による関節連結レバーを組込んだペダル操作式の蓋を有する廃棄物容器又はごみ容器を示す。
【０１０２】
図９Ｂは、通常の作動状態において作動しているときの関節連結レバーの拡大図であり、図９Ａに示す関節連結レバーをより明瞭に示す。
【０１０３】
図９Ａ及び図９Ｂから分かるように、通常の作動状態では、ユーザが足ペダル３を押下げるとき、板ばね１９ｂは負荷を受けていない。
【０１０４】
この状態では、板ばね１９ｂの張力により、板ばね１９ｂの２つ負荷又は張力支持部分１９ｂ’、１９ｂ’’の各々を関節連結レバー１の第１のアーム１０ａ及び第２のアーム１０ｂに押付け、それにより、関節連結レバー１がヒンジのところで枢動することを阻止し、かくして、関節連結レバー１が剛性のままであることを可能にする。
【０１０５】
板ばね１９ａが負荷を受けておらず、関節連結レバー１が剛性であるとき、関節連結レバー１は、ピボットシャフト１８（すなわち、支点）の周りを枢動することによって、通常のように機能することが可能であり、かくして、ユーザが関節連結レバー１を作動させたとき、制御ロッド２が蓋６を押上げることを可能にする。
【０１０６】
図１０Ａは、異常な作動状態において作動しているときの、図６及び図７に示す本発明の第２の実施形態による関節連結レバーを組込んだペダル操作式の蓋を有する廃棄物容器又はごみ容器を示す。
【０１０７】
図１０Ｂは、異常な作動状態において作動しているときの関節連結レバーの拡大図であり、図１０Ａに示す関節連結レバーをより明瞭に示す。
【０１０８】
図１０Ａ及び図１０Ｂから分かるように、異常な作動状態では、ユーザが足ペダル３を押下げるとき、板ばね１９ｂは負荷を受けている。
【０１０９】
この状態では、第１のアーム１０ａ及び第２のアーム１０ｂは両方とも、板ばね１９ｂの張力に逆らうように作用し、板ばねの負荷又は張力支持部分１９ｂ’、１９ｂ’’を押下げる。板ばねの張力に打ち勝つことにより、関節連結レバー１を、ピボットシャフト（すなわち、支点）のところではなくヒンジのところで枢動させ、その結果、関節連結レバー１を作動不能にし、ユーザが関節連結レバー１を作動させたときに作動ロッドが蓋を押上げることを阻止する。
【０１１０】
関節連結レバー１が作動不能であるとき、異常な作動状態を生じさせている障害が除去されて通常の作動状態が回復されるまで、蓋５を押上げるために作動ロッド２を関節連結レバーによって押すことができない。
【０１１１】
この場合も、異常な作動状態の下で、ピボットシャフトのところではなくヒンジのところで枢動する関節連結レバー１の動作は、作動ロッド２が曲げられたり破損したりすることを防止し、及び／又は、関節連結レバー１を作動させて蓋５を容器４から持上げるためにユーザが足ペダル３を押下げるとき、作動ロッドのダンパー装置が、妨害している負荷の重量に逆らって上方に押されることによって損傷することを防止する。
【０１１２】
本明細書は、本発明を例示する役割を果たすにすぎないので、本発明は、本明細書に記載された実施形態に限定されず、更なる変更例が、本発明の範囲から逸脱することなしに容易に明らかである。
【符号の説明】
【０１１３】
１  関節連結レバー
２  作動ロッド
２ａ  ダンパー装置
３  ペダル
４  容器
５  蓋
１０ａ  第１のアーム
１０ｂ  第２のアーム
１８  ピボットシャフト
【図１】
2018188307.tif 000003
【図２】
2018188307.tif 000004
【図３Ａ】
2018188307.tif 000005
【図３Ｂ】
2018188307.tif 000006
【図４Ａ】
2018188307.tif 000007
【図４Ｂ】
2018188307.tif 000008
【図５Ａ】
2018188307.tif 000009
【図５Ｂ】
2018188307.tif 000010
【図６】
2018188307.tif 000011
【図７】
2018188307.tif 000012
【図８Ａ】
2018188307.tif 000013
【図８Ｂ】
2018188307.tif 000014
【図９Ａ】
2018188307.tif 000015
【図９Ｂ】
2018188307.tif 000016
【図１０Ａ】
2018188307.tif 000017
【図１０Ｂ】
2018188307.tif 000018
【外国語明細書】
2018188307000001.pdf